(57)【要約】【課題】パチンコ機の外枠において、地板の見栄えを向上するとともに、その見栄えを維持できるようにする。【解決手段】左右の縦板１１，１２と、該左右の縦板１１，１２の上端部間に位置する天板と、左右の縦板１１，１２の下端部間に位置する地板１４とが互いに接合されて矩形状に枠組みされるパチンコ機の外枠において、地板１４の前面および上面の一部を、前面被覆部１７ａと上面被覆部１７ｂとを有する断面Ｌ字形の樹脂材からなる化粧板１７によって被覆した。【選択図】　図３
2004024712.tif 000002
【特許請求の範囲】
【請求項１】
左右の縦板と、該左右の縦板の上端部間に位置する天板と、前記左右の縦板の下端部間に位置する地板とが互いに接合されて矩形状に枠組みされるパチンコ機の外枠であって、
前記地板の前面が化粧板によって被覆されていることを特徴とするパチンコ機の外枠。
【請求項２】
請求項１に記載のパチンコ機の外枠であって、前記化粧板は、樹脂材によって形成されていることを特徴とするパチンコ機の外枠。
【請求項３】
請求項１または２に記載のパチンコ機の外枠であって、前記化粧板は前記地板の上面を被覆する上面被覆部を有し、該上面被覆部が前記左右の縦板の下部前面に固着された幕板によって上方から押さえ込まれる構成としたことを特徴とするパチンコ機の外枠。
【発明の詳細な説明】
【０００１】
【発明の属する技術分野】
この発明は、パチンコ機の外枠に係り、詳しくは外枠の下端部に位置する地板の改善に関する。
【０００２】
【従来の技術】
パチンコ機の外枠は、よく知られているように、パチンコ機の本体となる遊技盤が固着された前枠をパチンコホールの取付台に組付けるための基枠となるものであり、左右の縦板と、左右の縦板の上端部間に位置する天板と、左右の縦板の下端部間に位置する地板とを互いに接合することによって矩形状に枠組みされている。また、外枠の前面下部には、幕板が備えられている。この幕板は、外枠に上下の蝶番を介して開閉自在に取り付けられる前枠の下方に位置し、枠強度を補強するものであり、外枠の地板によって支持されるとともに、閉状態の前枠を下方から支持する。
前述した前枠は、外枠の前面に重なるように位置している。このため、パチンコ機がパチンコホールの取付台に組み付けられた状態では、外枠はその大部分が前枠によって隠蔽され、幕板と地板の前面が露出する。すなわち、パチンコホールに組み付けられたパチンコ機は、前枠が閉じられた状態では、該前枠の前面、幕板の前面、および地板の前面が視認可能な範囲となる。なお、幕板の下方に位置する地板は、左右の縦板や天板よりも前方へ張り出して幕板を支持する構造が一般的であるが、その前方への張り出し幅が幕板の板厚よりも大きい構造のときは、地板の前上面も視認可能な範囲となる。
【０００３】
一般に外枠は木板を以って組み立てられるため、そのままでは木質が露出して前枠の前面に施される意匠と不釣合いになるため、従来から幕板の前面には、前枠前面の意匠に合わせて装飾板を貼り付け、前枠との一体感を図るようにしている。また、同様な理由で、地板の前面（表面）には無難な色合いの塗料を塗布し、意匠的調和を図っている。
【０００４】
【発明が解決しようとする課題】
ところが、上記の如く、地板の前面に塗料を塗布した構造の場合、見栄えが良くない上に、遊技中に物が当たることで塗料が剥離する可能性がある。そして、塗料が剥離したときは、地板の地肌（木質）が露出し、意匠上の調和が崩れ、見栄えが悪化するという問題がある。
【０００５】
本発明は、上述した従来の問題点に鑑みてなされたものであり、その目的とするところは、パチンコ機の外枠において、地板の見栄えを向上するともに、その見栄えを維持できるようにする。
【０００６】
【課題を解決するための手段】
上記課題を達成するため、本発明に係るパチンコ機の外枠は、請求項１および２に記載の通り構成した。これら各請求項に係る発明は、左右の縦板と、該左右の縦板の上端部間に位置する天板と、前記左右の縦板の下端部間に位置する地板とが互いに接合されて矩形状に枠組みされるパチンコ機の外枠において、地板の見栄えを向上するとともに、その見栄えを維持できるようにした技術である。
【０００７】
請求項１に記載したパチンコ機の外枠では、地板の前面が化粧板によって被覆されていることを特徴としている。
したがって、請求項１の発明によれば、地板とは別途に形成される化粧板を用いて、該地板の前面を前枠前面あるいは幕板前面の意匠に対して容易に調和させることが可能となり、これにより、地板の見栄えを向上できるとともに、塗装が剥げるといった問題を解消して見栄えを維持することができる。
【０００８】
この場合において、請求項２に記載したように、化粧板は樹脂材によって形成されていることが好ましい。このような構成を採用したときは、化粧板を容易に得ることが可能であり、地板に対する化粧板の取り付けは、例えば接着剤を用いての貼り付け、ビスや釘を用いての固着等によって行われる。
【０００９】
また、請求項３に記載のパチンコ機の外枠では、化粧板は地板の上面を被覆する上面被覆部を有し、該上面被覆部が左右の縦板の下部前面に固着された幕板によって上方から押さえ込まれる構成としたことを特徴としている。したがって、請求項３の発明によれば、地板に対する化粧板の取付強度を向上することができる。
【００１０】
【発明の実施の形態】
以下、本発明の実施の形態を図面に基づいて説明する。図１および図２は本実施の形態に係るパチンコ機の外枠および該外枠に装着された前枠を示す斜視図であり、図１は前枠開放状態を示し、図２は前枠閉止時を示す。また、図３は前枠が取り外された状態の外枠下部の拡大斜視図であり、図４は図３のＡ−Ａ線断面図である。図示のように、外枠１０は、左縦板１１と、右縦板１２と、左右の縦板１１，１２の上端部間に位置する天板１３と、左右の縦板１１，１２の下端部間に位置する地板１４とを相互に接合することによって縦長の矩形状に枠組みされている。
【００１１】
上記各板１１〜１４のうち、左右の縦板１１，１２と天板１３は、前後方向の板幅が等しく形成されており、各前面が同一平面上で揃っている。これに対し、地板１４は前後方向の板幅が他の板１１〜１３よりも大きく形成されており、その分、前方に張り出している。そして、外枠１０の前面下部には、地板１４の張り出し幅よりも小さい板厚の幕板１５が設けられている。幕板１５は、左右の縦板１１，１２の前面に掛け渡されて該縦板１１，１２に固着されるとともに、地板１４の張り出し部１４ａの上面に当接されて支持されており、これにより外枠１０の強度が補強されている。なお、外枠１０を構成する上記の各板１１〜１５はそれぞれ木板から形成されている。
【００１２】
外枠１０の前面には、パチンコ機の本体を構成する図示省略の遊技盤や各種の機構装置、部品類が取り付けられた前枠２０が配置されている。この前枠２０は幕板１５の上方における外枠１０の前面を覆い得る外形を有するとともに、該外枠１０に上下の蝶番２１，２２を介して開閉可能に取り付けられており、閉状態では幕板１５の上面によって支持される。なお、幕板１５の前面には前枠２０の前面、あるいは遊技盤の前面の意匠に調和するような意匠を施した装飾板１６が貼着されている。
【００１３】
上記のように構成されたパチンコ機の外枠１０において、図３および図４に示すように、地板１４には、該地板１４の前面の全体および上面の一部（少なくとも張り出し部１４ａの上面）を被覆するための樹脂材からなる化粧板１７が取り付けられている。化粧板１７は、地板１４の前面を被覆する前面被覆部１７ａと、地板１４の上面を被覆する上面被覆部１７ｂとを備えた断面Ｌ字形に形成されるとともに、地板１４と同一の左右方向長さを有する。そして、化粧板１７は、地板１４の前面および上面の一部に被せた状態で取り付けられ、これにより地板１４の外観美を高めるとともに、前枠２０の前面、あるいは遊技盤の前面の意匠、さらには幕板１５の装飾板１６の意匠との調和を図っている。
【００１４】
また、図４に示すように、地板１４の上面のうち、化粧板１７の上面被覆部１７ｂによって被覆される部位は、該化粧板１７の板厚に相当する分だけ低い段差面とされている。これにより、化粧板１７の取付状態では、地板１４の上面に対して化粧板１７の上面被覆部１７ｂの上面は同一平面となる。そして、上面被覆部１７ｂは、幕板１５によって押さえ込まれている。なお、地板１４に対する化粧板１７の取り付けは、例えば接着剤を用いての貼り付け、あるいはビスや釘を用いての固着等によって行われる。
【００１５】
本実施の形態においては、上述したように、パチンコホールに組み付けられた状態において、地板１４の露出面である前面および上面の一部（前上面）を化粧板１７で被覆する構成としたことによって、地板１４を塗料で塗装していた従来に比べて、地板１４の前面を自由な発想で装飾することが可能となる。これにより、前枠２０の前面あるいは幕板１５の前面の意匠と調和させることが可能となり、地板１４の見栄えを向上することができる。また、従来の如く、塗装が剥げるといった問題も解消されることになり、見栄えの維持が可能となる。
【００１６】
また、本実施の形態においては、化粧板１７の上面被覆部１７ｂを幕板１５によって上方から押さえ込む構成のため、地板１４に対する化粧板１７の取付強度を向上することができるし、あるいは、例えば化粧板１７を地板１４に対して接着剤を用いて貼り付けるような場合であれば、化粧板１７の一部に接着剤を塗布後、その化粧板１７を地板１４に被せて仮付けした状態で、幕板１５によって化粧板１７の上面被覆部１７ｂを押さえ込んで固定するといった取付方法を採用することも可能である。また、化粧板１７の端末が幕板１５によって隠されることで、綺麗な端末処理が達成される。
また、本実施の形態では、化粧板１７を樹脂材によって形成する構成としたので、金型を用いて所要形状あるいは所要硬度の化粧板１７を容易に製作することができる。
【００１７】
なお、本発明は上述した実施の形態に限定されるものではなく、その要旨を逸脱しない範囲内で適宜変更が可能である。
例えば、上述した実施の形態では、化粧板１７によって地板１４の前面のみならず、上面をも被覆するとしたが、前面のみを被覆する構成に変更してもよい。
また、化粧板１７の素材は、樹脂材に限られるものではなく、アルミやステンレスあるいは鉄板等の金属板を用いることも可能であり、金属板それ自体が持つ金属特有の光沢による高級感あるいは強度を得ることができる。
また、地板１４に対する取り付けは、貼着や締結に限るものではなく、例えば化粧板１７が硬質の樹脂材あるいは金属板から形成される場合であれば、化粧板１７の端部に矢じりのような鋭角な先端形状を有する複数の爪を設け、その爪を木板からなる地板１４に食い込む（打ち込む）ことで固定する構成に変更してもよい。
【００１８】
【発明の効果】
以上詳述したように、本発明によれば、パチンコ機の外枠において、地板の見栄えの向上を図るとともに、その見栄えを維持することが可能な技術を提供できる。
【図面の簡単な説明】
【図１】本実施の形態に係るパチンコ機の外枠および該外枠に装着された前枠を示す斜視図であり、前枠開放時を示す。
【図２】同じくパチンコ機の外枠および該外枠に装着された前枠を示す斜視図であり、前枠閉止時を示す。
【図３】前枠を取り外した状態の外枠下部を示す拡大斜視図である。
【図４】図３のＡ−Ａ線断面図である。
【符号の説明】
１０…外枠
１１…左縦板
１２…右縦板
１３…天板
１４…地板
１５…幕板
１７…化粧板
【図１】
2004024712.tif 000003
【図２】
2004024712.tif 000004
【図３】
2004024712.tif 000005
【図４】
2004024712.tif 000006